(57)【要約】 【課題】  帳票の記載情報に基づいて、特定の口座に関する所定の処理を行うためのデータ作成を、容易かつ迅速に行うことができる帳票処理システムを提供する。【解決手段】  オペレータ端末２０が口座振替依頼書に記載される口座番号のみを印鑑サーバ３０に与え、印鑑サーバ３０は、与えられた口座番号を有する口座識別情報と、その口座識別情報に関連付けられる登録印鑑イメージをオペレータ端末２０に与える。オペレータ端末２０は、口座振替依頼書のイメージから抽出した届出印鑑イメージと、印鑑サーバ３０から与えられる登録印鑑イメージとを比較可能に表示し、口座処理データを作成する。これによって口座処理データの作成にあたって、印鑑サーバ３０に与えるべき情報を少なくすることができ、データ作成および登録を容易にかつ迅速に行うことができる。【選択図】      図１
2006053762.tif 000002
【特許請求の範囲】
【請求項１】
帳票の記載情報に基づいて特定の口座に関する所定の処理を行うための口座処理データの作成を行う帳票処理システムにおいて、
前記帳票のイメージを読取るスキャナと、
金融機関に開設されている口座の口座識別情報と前記口座の登録印影イメージとを関連付けて記憶し、該記憶する情報を管理する印鑑サーバ管理手段と、他の装置と通信するための印鑑サーバ通信手段とを有する印鑑サーバと、
各種情報を表示する表示手段と、オペレータからの各種情報および指示が入力される操作手段と、他の装置と通信するための端末通信手段と、前記スキャナが読取った帳票のイメージに含まれる届出印影イメージを抽出するイメージ処理手段と、前記口座処理データを作成する処理データ作成手段とを有するオペレータ端末とを備え、
前記端末通信手段は、帳票に含まれる口座識別情報の一部である部分口座識別情報を前記印鑑サーバ通信手段に送信し、
前記印鑑サーバ管理手段は、前記印鑑サーバ通信手段が前記部分口座識別情報を受信すると、記憶する口座識別情報のうちから、前記印鑑サーバ通信手段が受信した部分口座識別情報と一致する部分口座識別情報を有する口座識別情報を検索し、検索した口座識別情報に関連付けられる登録印影イメージを抽出し、
前記印鑑サーバ通信手段は、前記印鑑サーバ管理手段が抽出した登録印影イメージを前記端末通信手段に送信し、
前記表示手段は、前記イメージ処理手段が抽出した届出印影イメージと、前記端末通信手段が受信した登録印影イメージとを比較可能に表示し、
前記処理データ作成手段は、前記操作手段による確認入力が与えられた場合に、前記表示手段に表示されている届出印影イメージと登録印影イメージとが一致すると判断して、前記口座処理データの作成を行うことを特徴とする帳票処理システム。
【請求項２】
前記オペレータ端末は、前記届出印影イメージと前記登録印影イメージとを照合し、両イメージの類似度を示す印鑑照合率を算出する印鑑照合手段をさらに有し、
前記表示手段は、前記届出印影イメージと前記登録印影イメージとを表示するとともに、これら２つのイメージについて、前記印影照合手段が算出した印鑑照合率を表示することを特徴とする請求項１に記載の帳票処理システム。
【請求項３】
前記オペレータ端末は、前記届出印影イメージと前記登録印影イメージとを照合し、両イメージの類似度を示す印鑑照合率を算出する印鑑照合手段をさらに有し、
前記印鑑照合手段は、前記端末通信手段が複数の登録印影イメージを受信した場合、前記届出印影イメージと前記受信された複数の登録印影イメージとの照合をそれぞれ行い、前記印鑑照合率をそれぞれ算出し、
前記表示手段は、前記印鑑照合手段が算出した印鑑照合率が最も高い登録印影イメージから順次表示することを特徴とする請求項１または２に記載の帳票処理システム。
【請求項４】
前記印鑑サーバ管理手段は、前記抽出した登録印影イメージが関連付けられている口座識別情報を前記登録印影イメージとともに抽出し、
前記印鑑サーバ通信手段は、前記印鑑サーバ管理手段が抽出した登録印影イメージと口座識別情報とを前記端末通信手段に送信し、
前記表示手段は、前記届出印影イメージと前記登録印影イメージとを表示するとともに、前記登録印影イメージに関連付けられている口座識別情報を表示することを特徴とする請求項１〜３のいずれか１つに記載の帳票処理システム。
【請求項５】
前記印鑑サーバ管理手段は、前記金融機関に開設されている口座の口座識別情報に前記口座の名義人の登録署名イメージを関連付けて記憶し、前記印鑑サーバ通信手段が前記部分口座識別情報を受信すると、該部分口座識別情報と一致する部分口座識別情報を有する口座識別番号に関連づけられる登録署名イメージを抽出し、
前記印鑑サーバ通信手段は、前記印鑑サーバ管理手段が抽出した登録署名イメージを前記端末通信手段に送信し、
前記イメージ処理手段は、前記スキャナが読取った帳票のイメージに含まれる届出印影イメージのほかに、口座の名義人の届出署名イメージを抽出し、
前記表示手段は、前記イメージ処理手段が抽出した前記届出署名イメージと、前記端末通信手段が受信した前記登録署名イメージとを比較可能に表示することを特徴とする請求項１〜４のいずれか１つに記載の帳票処理システム。
【請求項６】
前記オペレータ端末は、前記届出署名イメージと前記登録署名イメージとを照合し、両イメージの類似度を示す署名照合率を算出する署名照合手段をさらに有し、
前記表示手段は、前記届出署名イメージと前記登録署名イメージとを表示するとともに、これら２つのイメージについて、前記署名照合手段が算出した署名照合率を表示することを特徴とする請求項５に記載の帳票処理システム。
【請求項７】
前記印鑑サーバ管理手段は、前記抽出した登録印影イメージが関連付けられている口座識別情報を前記登録印影イメージとともに抽出し、
前記印鑑サーバ通信手段は、前記印鑑サーバ管理手段が抽出した登録印影イメージと口座識別情報とを前記端末通信手段に送信し、
前記処理データ作成手段は、前記端末通信手段が受信した前記口座識別情報のうち、届出印影イメージに一致する登録印影イメージと関連づけられる前記口座識別情報を用いて口座処理データを作成することを特徴とする請求項１〜６のいずれか１つに記載の帳票処理システム。
【請求項８】
前記オペレータ端末は、前記スキャナが読取った帳票のイメージから前記部分口座識別情報を認識する識別情報認識手段をさらに備え、
前記端末通信手段は、前記識別情報認識手段が認識した部分口座識別情報を前記印鑑サーバ通信手段に送信することを特徴とする請求項１〜７のいずれか１つに記載の帳票処理システム。
【請求項９】
前記口座処理データを記憶し、該記憶する情報を管理する登録サーバ管理手段と、他の装置と通信するための登録サーバ通信手段とを有する登録サーバをさらに備え、
前記表示手段は前記処理データ作成手段が作成した口座処理データを表示し、
前記端末通信手段は、前記操作手段による登録入力が与えられた場合に、前記表示手段に表示されている口座処理データを登録サーバ通信手段に送信し、
前記登録サーバ管理手段は、前記登録サーバ通信手段が受信した口座処理データを記憶することを特徴とする請求項１〜８のいずれか１つに記載の帳票処理システム。
【請求項１０】
帳票の記載情報に基づいて特定の口座に関する所定の処理を行うための口座処理データの作成を行う帳票処理システムにおいて、
前記帳票のイメージを読取るスキャナと、
金融機関に開設されている口座の口座識別情報と前記口座の登録印影イメージとを関連付けて記憶し、該記憶する情報を管理する印鑑サーバ管理手段と、他の装置と通信するための印鑑サーバ通信手段とを有する印鑑サーバと、
前記スキャナが読取った帳票のイメージに含まれる届出印影イメージを抽出するイメージ処理手段と、前記スキャナが読取った帳票のイメージから前記口座識別情報の一部である部分口座識別情報を認識する識別情報認識手段と、２つの異なるイメージを照合して両イメージの類似度を示す照合率を算出する照合手段と、前記口座処理データを作成する処理データ作成手段と、前記口座処理データを一時的に記憶し、該記憶する情報を管理する照合サーバ管理手段と、他の装置と通信するための照合サーバ通信手段とを有する照合サーバとを備え、
前記照合サーバ通信手段は、識別情報認識手段が認識した部分口座識別情報を前記印鑑サーバ通信手段に送信し、
前記印鑑サーバ管理手段は、前記印鑑サーバ通信手段が前記部分口座識別情報を受信すると、記憶する口座識別情報のうちから、前記印鑑サーバ通信手段が受信した部分口座識別情報と一致する部分口座識別情報を有する口座識別情報を検索し、検索した口座識別情報に関連付けられる登録印影イメージを抽出し、
前記印鑑サーバ通信手段は、前記印鑑サーバ管理手段が抽出した登録印影イメージを前記照合サーバ通信手段に送信し、
前記処理データ作成手段は、前記イメージ処理手段が抽出した届出印影イメージと、前記照合サーバ通信手段が受信した登録印影イメージとについて前記照合手段が算出した照合率が、所定のしきい値以上である場合に、前記照合手段によって照合した前記届出印影イメージと前記登録印影イメージとが一致すると判断して、前記口座処理データの作成を行い、
前記照合サーバ管理手段は、前記処理データ作成手段が作成した前記口座処理データを一時的に記憶することを特徴とする帳票処理システム。
【請求項１１】
前記口座処理データを記憶し、該記憶する情報を管理する登録サーバ管理手段と、他の装置と通信するための登録サーバ通信手段とを有する登録サーバと、
各種情報を表示する表示手段と、オペレータからの各種情報および指示が入力される操作手段と、他の装置と通信するための端末通信手段とを有するオペレータ端末とをさらに備え、
前記照合サーバ通信手段は、前記照合サーバ管理手段が一時的に記憶する前記口座処理データを前記端末通信手段に送信し、
前記表示手段は端末通信手段が受信した前記口座処理データを表示し、
前記端末通信手段は、前記操作手段による登録入力が与えられた場合に、前記表示手段に表示されている口座処理データを登録サーバ通信手段に送信し、
前記登録サーバ管理手段は、前記登録サーバ通信手段が受信した口座処理データを記憶することを特徴とする請求項１０に記載の帳票処理システム。
【請求項１２】
前記部分口座識別情報とは、口座番号であることを特徴とする請求項１〜１１のいずれか１つに記載の帳票処理システム。
【発明の詳細な説明】
【技術分野】
【０００１】
本発明は、帳票の記載情報に基づいて特定の口座に関する所定の処理を行うためのデータ作成、登録などを行う帳票処理システムに関する。
【背景技術】
【０００２】
銀行等の金融機関あるいは金融機関の事務センター等において、個人や企業から届出された口座振替依頼書に基づいて口座振替処理を行うためのデータ（以下、口座振替データと記す）を作成し、登録する業務がある。この業務においては、オペレータが記載内容の確認、口座の存在および正当性を確認するための印鑑照合、その他必要情報の追加を行って口座振替データを作成し、所定のサーバに登録するようになっている。
【０００３】
従来より、上述のような業務を行うためのシステムが種々提案されており、たとえば、特許文献１に示されるようなシステムがある。特許文献１に示されるシステムの処理フローを簡単に説明すると、まず、スキャナにより口座振替依頼書のイメージを読取り、ワークステーションの表示画面に表示する。次に、オペレータが表示されたイメージを見て、キーボード操作により店番号、科目、口座番号等を入力すると、印鑑データファイルから該当口座の登録印鑑の印影イメージが抽出され、ワークステーションへ転送される。次に、ワークステーションの表示画面に口座振替依頼書のイメージと抽出された登録印鑑の印影イメージが同時表示され、オペレータの目視による印鑑照合が行われる。そして、印鑑照合の結果、口座振替依頼書のイメージに含まれる印影イメージと登録印鑑の印影イメージが一致すると判断されれば、入力データに従って口座振替データが作成され、登録用ファイルに登録される。
【０００４】
【特許文献１】特開平８−２１２３４７号公報
【発明の開示】
【発明が解決しようとする課題】
【０００５】
ところが、特許文献１のシステムでは、口座振替データの作成および印鑑照合に際して、多くのデータをオペレータが手入力するため、非常に時間がかかり、入力ミスが発生するという問題がある。
【０００６】
また、口座振替依頼書には、データ作成や印鑑照合に必要な情報がすべて記載されていない場合、あるいは、記載情報そのものではコンピュータで処理できない場合が多々あり、たとえば、店名や科目名が記載されているような場合には、これらの名称から対応する店番号や科目コードを調べ、さらにこれらを手入力して、コンピュータ処理可能な口座振替データを作成しなければならない。
【０００７】
作業の効率化を図るために口座振替依頼書のイメージから入力データとなる部分をＯＣＲ(Optical Character Recognition)により文字認識し、手入力の手間を省くことが考えられるが、文字認識する部分が多数ある場合や手書き文字（たとえば、店名）を文字認識する場合には、誤認識の可能性が高くなり、結局、手入力をする必要が頻繁に生じるので、大幅な作業の低減は見込めない。
【０００８】
上述のような問題は、口座振替依頼書の処理以外にも、出金伝票・解約伝票・喪失届け・変更届け・手形・小切手等の種々の帳票の処理を行う場合にも発生する。
【０００９】
本発明は、このような事情に鑑みてなされたものであり、帳票の記載情報に基づいて、特定の口座に関する所定の処理を行うためのデータ作成および登録を、容易かつ迅速に行うことができ、また、作業ミスの大幅な低減を図ることができる帳票処理システムを提供することを目的とする。
【課題を解決するための手段】
【００１０】
本発明は、帳票の記載情報に基づいて特定の口座に関する所定の処理を行うための口座処理データの作成を行う帳票処理システムにおいて、
前記帳票のイメージを読取るスキャナと、
金融機関に開設されている口座の口座識別情報と前記口座の登録印影イメージとを関連付けて記憶し、該記憶する情報を管理する印鑑サーバ管理手段と、他の装置と通信するための印鑑サーバ通信手段とを有する印鑑サーバと、
各種情報を表示する表示手段と、オペレータからの各種情報および指示が入力される操作手段と、他の装置と通信するための端末通信手段と、前記スキャナが読取った帳票のイメージに含まれる届出印影イメージを抽出するイメージ処理手段と、前記口座処理データを作成する処理データ作成手段とを有するオペレータ端末とを備え、
前記端末通信手段は、帳票に含まれる口座識別情報の一部である部分口座識別情報を前記印鑑サーバ通信手段に送信し、
前記印鑑サーバ管理手段は、前記印鑑サーバ通信手段が前記部分口座識別情報を受信すると、記憶する口座識別情報のうちから、前記印鑑サーバ通信手段が受信した部分口座識別情報と一致する部分口座識別情報を有する口座識別情報を検索し、検索した口座識別情報に関連付けられる登録印影イメージを抽出し、
前記印鑑サーバ通信手段は、前記印鑑サーバ管理手段が抽出した登録印影イメージを前記端末通信手段に送信し、
前記表示手段は、前記イメージ処理手段が抽出した届出印影イメージと、前記端末通信手段が受信した登録印影イメージとを比較可能に表示し、
前記処理データ作成手段は、前記操作手段による確認入力が与えられた場合に、前記表示手段に表示されている届出印影イメージと登録印影イメージとが一致すると判断して、前記口座処理データの作成を行うことを特徴とする帳票処理システムである。
【００１１】
また本発明は、前記オペレータ端末は、前記届出印影イメージと前記登録印影イメージとを照合し、両イメージの類似度を示す印鑑照合率を算出する印鑑照合手段をさらに有し、
前記表示手段は、前記届出印影イメージと前記登録印影イメージとを表示するとともに、これら２つのイメージについて、前記印影照合手段が算出した印鑑照合率を表示することを特徴とする。
【００１２】
また本発明は、前記オペレータ端末は、前記届出印影イメージと前記登録印影イメージとを照合し、両イメージの類似度を示す印鑑照合率を算出する印鑑照合手段をさらに有し、
前記印鑑照合手段は、前記端末通信手段が複数の登録印影イメージを受信した場合、前記届出印影イメージと前記受信された複数の登録印影イメージとの照合をそれぞれ行い、前記印鑑照合率をそれぞれ算出し、
前記表示手段は、前記印鑑照合手段が算出した印鑑照合率が最も高い登録印影イメージから順次表示することを特徴とする。
【００１３】
また本発明は、前記印鑑サーバ管理手段は、前記抽出した登録印影イメージが関連付けられている口座識別情報を前記登録印影イメージとともに抽出し、
前記印鑑サーバ通信手段は、前記印鑑サーバ管理手段が抽出した登録印影イメージと口座識別情報とを前記端末通信手段に送信し、
前記表示手段は、前記届出印影イメージと前記登録印影イメージとを表示するとともに、前記登録印影イメージに関連付けられている口座識別情報を表示することを特徴とする。
【００１４】
また本発明は、前記印鑑サーバ管理手段は、前記金融機関に開設されている口座の口座識別情報に前記口座の名義人の登録署名イメージを関連付けて記憶し、前記印鑑サーバ通信手段が前記部分口座識別情報を受信すると、該部分口座識別情報と一致する部分口座識別情報を有する口座識別番号に関連づけられる登録署名イメージを抽出し、
前記印鑑サーバ通信手段は、前記印鑑サーバ管理手段が抽出した登録署名イメージを前記端末通信手段に送信し、
前記イメージ処理手段は、前記スキャナが読取った帳票のイメージに含まれる届出印影イメージのほかに、口座の名義人の届出署名イメージを抽出し、
前記表示手段は、前記イメージ処理手段が抽出した前記届出署名イメージと、前記端末通信手段が受信した前記登録署名イメージとを比較可能に表示することを特徴とする。
【００１５】
また本発明は、前記オペレータ端末は、前記届出署名イメージと前記登録署名イメージとを照合し、両イメージの類似度を示す署名照合率を算出する署名照合手段をさらに有し、
前記表示手段は、前記届出署名イメージと前記登録署名イメージとを表示するとともに、これら２つのイメージについて、前記署名照合手段が算出した署名照合率を表示することを特徴とする。
【００１６】
また本発明は、前記印鑑サーバ管理手段は、前記抽出した登録印影イメージが関連付けられている口座識別情報を前記登録印影イメージとともに抽出し、
前記印鑑サーバ通信手段は、前記印鑑サーバ管理手段が抽出した登録印影イメージと口座識別情報とを前記端末通信手段に送信し、
前記処理データ作成手段は、前記端末通信手段が受信した前記口座識別情報のうち、届出印影イメージに一致する登録印影イメージと関連づけられる前記口座識別情報を用いて口座処理データを作成することを特徴とする。
【００１７】
また本発明は、前記オペレータ端末は、前記スキャナが読取った帳票のイメージから前記部分口座識別情報を認識する識別情報認識手段をさらに備え、
前記端末通信手段は、前記識別情報認識手段が認識した部分口座識別情報を前記印鑑サーバ通信手段に送信することを特徴とする。
【００１８】
また本発明は、前記口座処理データを記憶し、該記憶する情報を管理する登録サーバ管理手段と、他の装置と通信するための登録サーバ通信手段とを有する登録サーバをさらに備え、
前記表示手段は前記処理データ作成手段が作成した口座処理データを表示し、
前記端末通信手段は、前記操作手段による登録入力が与えられた場合に、前記表示手段に表示されている口座処理データを登録サーバ通信手段に送信し、
前記登録サーバ管理手段は、前記登録サーバ通信手段が受信した口座処理データを記憶することを特徴とする。
【００１９】
また本発明は、帳票の記載情報に基づいて特定の口座に関する所定の処理を行うための口座処理データの作成を行う帳票処理システムにおいて、
前記帳票のイメージを読取るスキャナと、
金融機関に開設されている口座の口座識別情報と前記口座の登録印影イメージとを関連付けて記憶し、該記憶する情報を管理する印鑑サーバ管理手段と、他の装置と通信するための印鑑サーバ通信手段とを有する印鑑サーバと、
前記スキャナが読取った帳票のイメージに含まれる届出印影イメージを抽出するイメージ処理手段と、前記スキャナが読取った帳票のイメージから前記口座識別情報の一部である部分口座識別情報を認識する識別情報認識手段と、２つの異なるイメージを照合して両イメージの類似度を示す照合率を算出する照合手段と、前記口座処理データを作成する処理データ作成手段と、前記口座処理データを一時的に記憶し、該記憶する情報を管理する照合サーバ管理手段と、他の装置と通信するための照合サーバ通信手段とを有する照合サーバとを備え、
前記照合サーバ通信手段は、識別情報認識手段が認識した部分口座識別情報を前記印鑑サーバ通信手段に送信し、
前記印鑑サーバ管理手段は、前記印鑑サーバ通信手段が前記部分口座識別情報を受信すると、記憶する口座識別情報のうちから、前記印鑑サーバ通信手段が受信した部分口座識別情報と一致する部分口座識別情報を有する口座識別情報を検索し、検索した口座識別情報に関連付けられる登録印影イメージを抽出し、
前記印鑑サーバ通信手段は、前記印鑑サーバ管理手段が抽出した登録印影イメージを前記照合サーバ通信手段に送信し、
前記処理データ作成手段は、前記イメージ処理手段が抽出した届出印影イメージと、前記照合サーバ通信手段が受信した登録印影イメージとについて前記照合手段が算出した照合率が、所定のしきい値以上である場合に、前記照合手段によって照合した前記届出印影イメージと前記登録印影イメージとが一致すると判断して、前記口座処理データの作成を行い、
前記照合サーバ管理手段は、前記処理データ作成手段が作成した前記口座処理データを一時的に記憶することを特徴とする帳票処理システムである。
【００２０】
また本発明は、前記口座処理データを記憶し、該記憶する情報を管理する登録サーバ管理手段と、他の装置と通信するための登録サーバ通信手段とを有する登録サーバと、
各種情報を表示する表示手段と、オペレータからの各種情報および指示が入力される操作手段と、他の装置と通信するための端末通信手段とを有するオペレータ端末とをさらに備え、
前記照合サーバ通信手段は、前記照合サーバ管理手段が一時的に記憶する前記口座処理データを前記端末通信手段に送信し、
前記表示手段は端末通信手段が受信した前記口座処理データを表示し、
前記端末通信手段は、前記操作手段による登録入力が与えられた場合に、前記表示手段に表示されている口座処理データを登録サーバ通信手段に送信し、
前記登録サーバ管理手段は、前記登録サーバ通信手段が受信した口座処理データを記憶することを特徴とする。
また本発明は、前記部分口座識別情報とは、口座番号であることを特徴とする。
【発明の効果】
【００２１】
本発明によれば、帳票に記載された口座識別情報の一部である部分口座識別情報（口座番号など）のみを印鑑サーバに与えれば、印鑑照合を行うことができるので、従来のように多数の情報を入力する必要がなく、迅速に作業を行うことができ、また、作業ミスの低減を図ることができる。
【００２２】
さらに、オペレータが表示手段に表示された届出印影イメージと登録印影イメージとを見て、これら両イメージが一致すると判断した場合には、ボタン操作による確認入力さえ行えば、口座処理データを作成できるようにしているので、口座処理データを容易かつ迅速に作成することができ、また、作業ミスの大幅な低減を図ることができる。
【００２３】
また、届出印影イメージと登録印影イメージの類似度を示す印鑑照合率を算出し、表示手段に表示することができるので、これをオペレータの目視による印鑑照合の指標することで、極めて正確、かつ迅速な判断が可能となる。
【００２４】
また、部分口座識別情報のみを印鑑サーバに与えるので、部分口座識別情報が同じ複数の登録印影イメージが抽出される場合があるが、本発明ではこのような場合をあえて許容し、届出印影イメージと抽出されたすべての登録印影イメージとの照合を行い、印鑑照合率を算出するようにして、該印鑑照合率が最も高いものを優先的に表示するようにしたので、帳票に記載された該当口座の登録印影イメージが極めて高い確率で表示されることになり、少ない情報を入力することによる弊害（誤った印影イメージを抽出してしまうなど）を生じさせることなく、迅速に作業を行うことができ、また、作業ミスの低減を図ることができる。
【００２５】
また、印鑑サーバから登録印影イメージが関連付けられている口座識別情報を取得し、これらの情報を表示手段に表示させるようにしたので、オペレータは印鑑照合の際に口座識別情報も確認することができ、より正確な照合を行うことができる。
【００２６】
また、印鑑照合の処理の際に、印鑑サーバから登録署名イメージも抽出し、帳票のイメージに含まれる届出署名イメージとともにオペレータ端末の表示手段に両イメージを比較可能に表示することができるので、オペレータは目視による印鑑照合の際の指標としたり、口座処理データの作成の際の確認入力の前の参考情報として利用でき、より正確な判断をすることができるとともに、確実な口座処理データの作成を行うことができる。
【００２７】
さらに届出署名イメージと登録署名イメージの類似度を示す値である署名照合率も表示手段に表示することができるようにしたので、オペレータは署名照合率を参照することで、さらに正確な判断ができ、確実な口座処理データの作成を行うことができる。
【００２８】
また、印鑑サーバから与えられる口座識別情報を用いて口座処理データを作成することができるので、口座処理データをさらに容易かつ迅速に作成することができ、作業ミスのさらなる低減を図ることができる。
【００２９】
また、スキャナが読取った帳票のイメージから部分口座識別情報を自動認識できるので、オペレータによる部分口座識別番号の入力作業が不要となり、より迅速に作業を行うことができ、また、作業ミスの大幅な低減を図ることができる。
【００３０】
また、オペレータが表示手段に表示された口座処理データを見て、口座処理データを登録すべきと判断した場合には、ボタン操作による登録入力さえ行えば、口座処理データを登録することができるようにしているので、口座処理データを容易にかつ迅速に登録することができ、また、作業ミスの大幅な低減を図ることができる。
【００３１】
たとえば、オペレータは、届出印鑑イメージと登録印鑑イメージとの一致を指示するボタン操作と、口座処理データの登録を促すボタン操作とを行うだけでよく、極めて簡単に口座データの登録作業を行うことができる。
【００３２】
また、届出印鑑イメージと登録印鑑イメージとが一致することを自動判断して口座処理データを作成することによって、オペレータによる印鑑イメージの目視照合作業の一部を省略することができる。これによってオペレータの手入力の手間をさらに少なくすることができ、口座処理データを容易にかつ迅速に作成することができる。
【００３３】
また、自動判断して口座処理データを作成した場合であっても、オペレータのボタン操作による登録入力が与えられたことを判断して、口座処理データを登録する。したがって、印鑑イメージの一致の自動判断に誤りがある状態で、口座処理データの登録がなされることを防ぐことができる。
【００３４】
また、部分口座識別情報として口座番号を用いることができるようにしたので、店名などの漢字と比較して口座番号は単純な文字であるため、高い認識率が得られ、誤認識による手入力作業を極力発生しないようにすることができ、オペレータの作業負担の軽減を図ることができる。
【発明を実施するための最良の形態】
【００３５】
以下、添付図面を参照して、本発明に係る帳票処理システムの好適な実施例を詳細に説明する。
【００３６】
なお、以下では、口座振替依頼書に記載された口座識別情報から口座振替処理を行うためのデータ（以下、口座振替データと記すこととし、特許請求の範囲の口座処理データの一例を示す）を作成し、登録する場合を例に説明する。また、特許請求の範囲および以下の実施例を含め、本発明における口座識別情報は、金融機関の店番号、店名、科目コード、科目（名）、口座番号、口座名義人等の金融機関に開設された口座を特定するための情報を総称するものとし、口座識別情報の各情報の一部を組合せたり、あるいは単独の情報として扱い、これらの情報のみでは一つの口座を特定できないような場合、たとえば、口座番号のみの場合は、口座識別情報の一部分を意味するものとして部分口座識別情報と記載することにする。
【００３７】
図１は、本発明の実施の一形態である帳票処理システム１０のシステム構成および機能説明をするためのブロック図である。
【００３８】
同図に示すように、帳票処理システム１０は、オペレータ端末２０、印鑑サーバ３０、登録サーバ４０がネットワーク１１上で接続され、互いに通信手段２９，３３，３４を介してデータの授受が可能なように構成される。
【００３９】
オペレータ端末２０は、オペレータによって操作され、口座振替データの作成、登録に関する処理を行うコンピュータであり、各種処理、装置各部の制御を行う主制御手段２１、各種情報を表示する表示手段２２、各種情報や指示を入力する操作手段２３、各種情報を他の装置に送受信するための通信手段２９とを備え、口座振替依頼書のイメージを読取るためのスキャナ２４が接続されている。なお、表示手段２２は、液晶ディスプレイ等で実現され、操作手段２３は、マウスやキーボード等で実現される。
【００４０】
また、主制御手段２１は、スキャナ２４が読取ったイメージから任意の部分のイメージの切り出しを行うイメージ処理手段２５、口座振替依頼書のイメージに含まれる口座番号や企業名等を文字認識するＯＣＲ手段２６（特許請求の範囲の識別情報認識手段の一例）、後述の口座振替依頼書の届出印欄に捺印された印影イメージ（以下、届出印影イメージ）と印鑑サーバ３０に登録されている口座の登録印鑑の印影イメージ（以下、登録印影イメージ）との照合を行う印鑑照合手段２７、後述の口座振替依頼書の預金口座名義人欄に記載されている署名のイメージ（以下、届出署名イメージ）と印鑑サーバ３０に登録されている口座の名義人の署名イメージ（以下、登録署名イメージ）との照合を行う署名照合手段２８および、これら各部の処理結果に基づいて後述の口座振替データの作成、登録に関する処理を行う処理データ作成手段３２を備える。
【００４１】
なお、印鑑照合手段２７は、上述の届出印影イメージと登録印影イメージの類似度を示す値である印鑑照合率を算出し、署名照合手段２８は、届出署名イメージと登録署名イメージの類似度を示す値である署名照合率を算出する。ここで、印鑑照合率、署名照合率は類似度が高い、言い換えれば、一致する可能性が高いもの程、大きな数値を示すものとする。また、上記印鑑イメージの照合あるいは署名イメージの照合の方法については、公知の照合方法が適用可能であり、発明の本旨とは関係しないため、詳細の記述は省略することとする。また、上述の各機能手段（イメージ処理手段２５、ＯＣＲ手段２６、印鑑照合手段２７、署名照合手段２８、処理データ作成手段３２）は、実際には図示しないＲＯＭ等の記憶手段に記憶されているプログラムを実行することによって実現され、あくまで、機能を説明するために各手段を表現しているにすぎない。
【００４２】
印鑑サーバ３０は、金融機関に開設されている口座の口座識別情報（店番号、店名、科目コード、科目（名）、口座番号等）と各口座の登録印影イメージとを関連付けて記憶し、該記憶する情報を管理する印鑑データベース３１（特許請求の範囲の印鑑サーバ管理手段の一例であり、以下、印鑑ＤＢ３１と記する）と、各種情報を他の装置に送受信するための通信手段３３とを備える。また、印鑑サーバ３０は、前記印鑑ＤＢ３１、通信手段３３を制御する制御手段（図示せず）を備える。これらの各機能手段は、実際には図示しないＲＯＭ等の記憶手段に記憶されているプログラムを実行することによって実現される。以下、印鑑サーバ３０の制御手段の動作を印鑑サーバ３０の動作として説明する場合がある。
【００４３】
また、印鑑サーバ３０は、オペレータ端末２０からなされる印鑑イメージの照合のための登録印影イメージの問い合わせに対して、印鑑ＤＢ３１を用いて該当する登録印影イメージを抽出し、通信手段３３を用いて該登録印影イメージが関連付けられている口座識別情報をオペレータ端末２０の通信手段２９へ送信する。なお、本実施例における印鑑ＤＢ３１は、口座識別情報に登録署名イメージも関連付けて記憶しており、上述の印鑑イメージの照合時のオペレータ端末２０からの問い合わせの際に登録印影イメージとともに登録署名イメージも抽出する。この場合、印鑑サーバ３０は、通信手段３３を用いて登録印影イメージと登録署名イメージとをオペレータ端末２０の通信手段２９へ送信するようになっている。
【００４４】
登録サーバ４０は、オペレータ端末２０により作成された口座振替データ（店番号、店名、科目コード、科目（名）、口座番号、名義人、自動振替コード、委託者コード等）を記憶し、該記憶する情報を管理する口座振替データベース４１（特許請求の範囲の登録サーバ管理手段の一例であり、以下口座振替ＤＢ４１と記する）と、各種情報を他の装置に送受信するための通信手段３４と、それらを制御する制御手段（図示せず）を備える。これらの各機能手段の動作は、実際には図示しないＲＯＭ等の記憶手段に記憶されているプログラムを実行することによって実現される。以下、登録サーバ４０の制御手段の動作を登録サーバ４０の動作として説明する場合がある。
【００４５】
なお、口座振替ＤＢ４１には、口座振替依頼書のイメージも記憶するようになっている。登録サーバ４０は、通信手段３４によってオペレータ端末２０の通信手段２９から送信される口座振替データを受信すると、その受信した口座振替データを口座振替ＤＢ４１に記憶させる。ここで、口座振替データにおける自動振替コードとは、振替により支払うサービスあるいは商品の種類（後述の支払い等の種類）を示すためのコード番号であり、たとえば、携帯電話料金、ガス料金、電気料金、生命保険料などの各種類毎に割り当てられているコード番号である。また、委託者コードとは、払込先の企業毎（後述の委託者毎）に割り当てられているコード番号である。
【００４６】
次に、図２を用いて口座振替依頼書について、簡単に説明する。なお、口座振替依頼書には多数の種類があり、記載事項、名称も様々である。従って、本実施例における口座振替依頼書は、発明の内容説明を考慮して簡略化したものを示すことにする。
【００４７】
図２における口座振替依頼書５０には、口座振替処理を行うべく届出された預金口座（以下、届出口座と記載する）に関する情報欄５１と、振替に関する情報欄５２が設けられている。届出口座に関する情報欄５１には、預金口座名義人、金融機関名および支店名、預金種目（科目に相当）、口座番号などの各記入欄と金融機関への届出印の捺印欄があり、基本的には各記入欄に支払者が手書きで情報を記入するとともに、捺印欄に捺印する。また、振替に関する情報欄５２には、委託者名（振替先企業名）、支払い等の種類（振替により料金を支払うサービスあるいは商品名）の記入欄があり、これら記入欄には予め情報が印刷されている場合が多い。
【００４８】
次に、本発明の帳票処理システム１０を用いて、上述のような口座振替依頼書５０に記載された情報（印刷情報含む）から口座振替データの作成、登録を行う具体的処理に関して、図３〜図５を用いて説明する。
【００４９】
図３は、帳票処理システム１０による口座振替データの作成、登録の処理手順を示すフローチャートである。図４は、口座振替データ作成時におけるオペレータ端末２０の表示画面６０の一例を示す図である。図５は、口座番号が一致する口座識別情報が複数ある状態を説明するための図である。
【００５０】
まず、スキャナ２４により口座振替依頼書のイメージを読取る（ステップＳ１）。次に、イメージ処理手段２５が、スキャナ２４が読取ったイメージから口座番号、委託者名、支払い等の種類の各記入欄部分のイメージを切り出し、ＯＣＲ手段２６が切り出された各イメージに含まれる口座番号、委託者名、支払い等の種類を文字認識する（ステップＳ２）。
【００５１】
次に、オペレータ端末２０の主制御手段２１は図示しない記憶テーブルを参照して、委託者名は委託者コードに、支払い等の種類は自動振替コードに変換し、図４に示されるオペレータ端末２０の表示画面６０のエントリ情報入力エリア６１の該当入力ボックス内（６８，６９，７０）に口座番号、自動振替コード、委託者コードをそれぞれ自動入力する（ステップＳ３）。続いて、イメージ処理手段２５がスキャナ２４が読取ったイメージから届出印影イメージおよび届出署名イメージの部分を切り出して、両イメージを図示しないオペレータ端末２０の記憶部へ記憶する（ステップＳ４）。
【００５２】
次に、オペレータ端末２０が通信手段２９を用いてステップＳ２で文字認識した口座番号を印鑑サーバ３０の通信手段３３へ送信すると（ステップＳ５）、印鑑サーバ３０が、印鑑ＤＢ３１を用いて、送信されてきた口座番号に一致する口座番号に関する登録印影イメージおよび登録署名イメージ（正確には、送信されてきた口座番号と同じ口座番号を含む口座識別情報に関連付けられた登録印影イメージおよび登録署名イメージ）をすべて抽出する（ステップＳ６）。そして、印鑑サーバ３０は、通信手段３３を用いてステップＳ６で印鑑ＤＢ３１が抽出した登録印影イメージおよび登録署名イメージを両イメージが関連付けられている口座識別情報（ここでは、少なくとも店番号、店名、科目コード、科目（名）、口座番号）とともにオペレータ端末２０の通信手段２９へ送信する（ステップＳ７）。
【００５３】
次に、オペレータ端末２０は、印鑑照合手段２７によってステップＳ４で記憶した届出印影イメージとステップＳ６で抽出された登録印影イメージとを照合し、印鑑照合率を算出するとともに、署名照合手段２８によってステップＳ４で記憶した届出署名イメージとステップＳ６で抽出された登録署名イメージを照合し、署名照合率を算出する（ステップＳ８）。
【００５４】
なお、口座番号は金融機関の支店毎や科目毎に設定される場合が多く、図５にその様子を例示しているように、ステップＳ６で口座番号が同じ複数の登録印影イメージが抽出される場合がある。このような場合、ステップＳ８において、届出印影イメージと抽出されたすべての登録印影イメージとの照合を行い、印鑑照合率を算出するようにしている。
【００５５】
そして、印鑑照合率が所定のしきい値以上の登録印影イメージが存在するか否かが判定され（ステップＳ９）、存在するのであれば（ステップＳ９のＹｅｓ）、図４の表示画面の照合表示領域６２に登録印影イメージと届出印影イメージ、登録署名イメージと届出署名イメージをそれぞれ比較可能に表示すると共に、登録印影イメージが関連付けられている口座識別情報をそれぞれ所定のエリアに表示する（ステップＳ１０）。また、本実施の形態では、表示している登録印影イメージと届出印影イメージとの印鑑照合率、登録署名イメージと届出署名イメージとの署名照合率を表示するとともに、口座振替依頼書のイメージを表示する。
【００５６】
なお、ステップＳ９において、しきい値以上の登録印影イメージが複数存在した場合、印鑑照合率が最も高いものが優先的に表示され、次候補ボタン７５により、その他の登録印影イメージおよび登録署名イメージが順次表示される。
【００５７】
一方、ステップＳ９で印鑑照合率が所定のしきい値以上の登録印影イメージが存在しないと判断された場合には、オペレータが依頼書イメージ表示領域６３に表示された口座振替依頼書のイメージや届出印影イメージなどから口座振替依頼書自体に不備がないか確認し（ステップＳ１１）、たとえば、届出印影イメージが不明瞭であるなどの不備があれば（ステップＳ１１のＹｅｓ）、その不備内容を不備理由入力欄７１に入力して（ステップＳ１２）、処理を終了する。また、口座振替依頼書に不備がなく、口座番号の誤認識があった場合には（ステップＳ１１のＮｏ）、オペレータが口座振替依頼書のイメージを見て入力ボックス６８に口座番号を入力するよう操作手段２３を操作し（ステップＳ１３）、ステップＳ５へスキップし、以降の処理を再度繰り返して行う。
【００５８】
次に、オペレータが照合表示領域６２に表示された登録印影イメージと届出印影イメージ、登録署名イメージと届出署名イメージをそれぞれ目視比較し、それぞれのイメージが一致していると判断してＯＫボタン７４を押下すると（実際にはマウスでクリックする。また、ここでの押下が特許請求の範囲の確認入力に対応する）、表示した登録印影イメージが届出印影イメージに一致すると判断し、ステップＳ１４でＹｅｓとなり、図４の照合表示領域６２に表示された登録印影イメージが関連付けられている口座識別情報（この場合、店番号、店名、科目コード、科目（名））を図４におけるエントリ情報入力エリア６１の各入力ボックス（６４〜６７）に自動入力し（ステップＳ１５）、処理データ作成手段３２によって、エントリ情報入力エリア６１に入力された情報に基づいて口座振替データを作成し、ステップＳ１６へ移行する。
【００５９】
一方、ステップＳ１４において、オペレータは各イメージが一致しないと判断した場合は、操作手段２３を用いてその内容を不備理由入力欄７１に入力して（ステップＳ１７）、処理を終了する。なお、ステップＳ１２およびステップＳ１７で、不備理由入力欄に入力された内容は、通信手段２９によって、登録サーバ４０の通信手段３４に送信され、登録サーバ４０は、そのデータを口座振替ＤＢ４１に記憶させる。
【００６０】
なお、ステップＳ１５で口座番号が自動入力されていないのは、ステップＳ３で既に入力されているためである。
【００６１】
最後に、上記各ステップを経てエントリ情報入力エリア６１に入力されたすべての情報をオペレータが目視確認して、情報に間違い無しと判断し、図４における登録ボタン７２を押下すると（ここでの押下が特許請求の範囲の登録入力に対応する）、ステップＳ１６でＹｅｓとなり、処理データ作成手段３２によって作成した口座振替データを、通信手段２９を用いて登録サーバ４０の通信手段３４へ送信する。登録サーバ４０は、送信される前記口座振替データを口座振替ＤＢ４１に記憶させることによって、口座振替データを登録し（ステップＳ１８）、処理が終了する。
【００６２】
ここで、入力情報に間違いがあり、エントリ情報入力エリア６１の入力情報をすべて削除したい場合などには、オペレータは、削除ボタン７３を押下すれば良い。
【００６３】
なお、上述の処理フローではＯＫボタン７４を押下し、さらに登録ボタン７２を押下すれば、口座振替データが登録サーバ４０に登録されるようになっているが、ＯＫボタン７４の押下のみで登録サーバ４０に登録されるようにしても良い。
【００６４】
以上のように、本発明の実施の一形態の帳票処理システム１０では、口座振替依頼書のイメージからＯＣＲ手段２６により口座番号を認識し、この口座番号のみを用いて印鑑イメージの照合を行うことができるので、従来のように多数の情報を入力する必要がなく、迅速に作業を行うことができ、また、作業ミスの低減を図ることができる。またＯＣＲ手段２６によって、委託者名、支払い等の口座識別情報以外の情報を認識して、口座振替データとして利用することによって、オペレータによる入力作業をさらに少なくすることができる。
【００６５】
なお、本発明の帳票処理システム１０では、ＯＣＲ手段２６を用いて口座振替依頼書に記載されている文字等を認識して作業の効率化を図っているが、ＯＣＲ手段２６により文字認識するのは、高精度に認識可能なもののみとしており、本実施例では、手書き文字の中でも単純な文字であるために高い認識率が得られる「口座番号」と、予め鮮明な文字で印刷されている「委託者名（振替先企業名）」、「支払い等の種類（振替により料金を支払うサービスあるいは商品名）」としているので、誤認識による手入力作業が極力発生しないようになっている。
【００６６】
また、印鑑イメージの照合の際に印鑑サーバ３０から口座振替データの作成に必要な口座識別情報（店番号、店名、科目コード、科目（名））も取得し、オペレータは表示内容を確認し、ボタン操作さえ行えば、これら情報を自動入力および登録できるようにしているので、口座振替データを容易かつ迅速に作成することができ、また、作業ミスの大幅な低減を図ることができる。
【００６７】
また、印鑑イメージの照合の際に、口座名義人の署名イメージも表示させ、さらに印鑑照合率と署名照合率も表示するようにして、オペレータがこれらを目視判断の指標することで、極めて正確に、かつ迅速な照合判断が可能となる。
【００６８】
なお、上記実施例では、口座振替データの作成、登録に関する処理のほとんどをオペレータ端末２０により行う場合を示したが、さらなる処理の効率化を図るために、一部の処理を他のコンピュータに分散させて行うようにしても良い。
【００６９】
図６は、本発明の実施の他の形態の帳票処理システム１１０を示すブロック図である。この帳票処理システム１１０は、上述した図１に示す帳票処理システム１０に類似しており、帳票処理システム１０の構成と同じ構成については、同一の参照符号を付して説明を省略する。
【００７０】
帳票処理システム１１０は、オペレータ端末２０、印鑑サーバ３０、登録サーバ４０、照合サーバ８０がネットワーク１１上で接続され、互いに通信してデータの授受が可能なように構成されている。
【００７１】
照合サーバ８０は、上述した処理データ作成手段３２と、イメージ処理手段２５と、ＯＣＲ手段２６と、印鑑照合手段２７と、署名照合手段２８と、通信手段８２と、口座処理データを一時的に記憶し、該記憶する情報を管理する照合データベース８１（特許請求の範囲の照合サーバ管理手段の一例であり、以下照合ＤＢ８１と記する）と、これらを制御する制御手段（図示せず）とを備える。これらの各機能手段の動作は、実際には図示しないＲＯＭ等の記憶手段に記憶されているプログラムを実行することによって実現される。
【００７２】
また、帳票処理システム１１０は、スキャナ２４が、照合サーバ８０と通信可能に構成される。たとえばスキャナ２４は、通信手段８３を有し、その通信手段８３を用いて口座振替依頼書のイメージを照合サーバ８０の通信手段８２に送信する。
【００７３】
照合サーバ８０は、上述のオペレータ端末２０の動作と同様にして、印鑑照合手段２７によって登録印鑑イメージと届出印鑑イメージとの照合率を算出する。そしてその照合率が予め定めるしきい値以上である場合に、照合した前記届出印影イメージと前記登録印影イメージとが一致すると判断して、前述の帳票処理システム１０と同様の手順で前記口座振替データの作成を行い、作成した口座振替データを照合ＤＢ８１に一時的に記憶させる。
【００７４】
そしてオペレータ端末２０は、照合サーバ８０に口座振替データの送信要求を与えることで、照合ＤＢ８１に記憶される口座振替データを表示手段２２に表示させる。この後、オペレータ端末２０は、前記ステップＳ１６の登録ボタン７２の押下待ちの状態となる。そして、オペレータは、表示手段を目視確認して、表示される情報に間違いなしと判断すれば、登録ボタン７２を押下さえすればよい。
【００７５】
このように他の実施の形態の帳票処理システム１１０は、印鑑イメージの照合等の照合処理（たとえば、図３の処理フローにおけるステップＳ８の照合値算出、ステップＳ９のしきい値以上の登録印影イメージの有無判断）を別途一括して照合処理する照合サーバ８０を設け、その結果をオペレータ端末２０に送信して、口座振替データの登録確認の判断のみオペレータが行えばよい。
【００７６】
この場合、届出印鑑イメージの抽出処理、届出印鑑イメージと登録印鑑イメージとの照合処理を、オペレータ端末２０で行う必要がなく、オペレータ端末２０の負荷を減らすことができる。また、たとえば印鑑イメージの照合処理を、オペレータの作業時間外（たとえば深夜）に行わせることによって、オペレータ作業時間中に照合処理に費やす時間を省略することができ、単位時間あたりに作成、登録可能なデータ数を増やすことができる。
【００７７】
また、本実施例では、印鑑サーバ３０および登録サーバ４０とは、別体の照合サーバ８０を備える帳票処理システム１１０について説明したが、上述する照合サーバ８０の動作を印鑑サーバ３０および登録サーバ４０のいずれかに行わせても良い。これによって、サーバ数を減らして、システムの構成を簡略化することができ、安価にシステムを構成することができる。
【００７８】
また、本発明の帳票処理システムの他の例として、たとえば、スキャナ２４を備えた口座振替依頼書のイメージを読取る専用の端末を設け、オペレータ端末２０が、これら端末やサーバからイメージを取得して、その後の処理から行うようにしても良い。
【００７９】
また、印鑑照合の判断をオペレータの目視判断によって行っているが、これをオペレータ端末２０等のコンピュータにより自動で判断するようにしても良い。たとえば、届出印影イメージと、登録印影イメージとの印鑑照合率が所定のしきい値以上であれば、該届出印影イメージと該登録印影イメージとが一致すると判断し、その登録印影イメージに関連する口座識別情報に基づいて口座処理データの作成を行わせても良い。
【００８０】
その他、各装置、各部の分散・統合の具体的形態は図示のものに限られず、処理の負荷や使用状況等に応じて、任意の単位で分散、統合して構成することが可能である。
【００８１】
また、本実施例では口座振替依頼書を処理する場合を示したが、帳票に処理すべき金融機関の口座に関する情報が記載されていて、口座の登録印が捺印されているようなものに適用可能であり、たとえば、出金伝票・解約伝票・喪失届け・変更届け・手形小切手などに適用可能である。
【００８２】
また、本実施例では、部分口座識別情報をＯＣＲ手段により文字認識している場合を示したが、ＭＩＣＲ文字（磁気インク文字）で印字されている場合には、ＭＩＣＲリーダに用いられている磁気ヘッドなどで認識しても良い。またオペレータが目視認識した部分口座識別情報を印鑑サーバ３０に与えても良い。また部分口座識別情報は、口座番号のさらに一部であってもよく、さらに口座番号以外であってもよい。
【産業上の利用可能性】
【００８３】
帳票の記載情報に基づいて特定の口座に関する所定の処理を行うためのデータ作成、登録などを行う帳票処理システムに有用であり、特に、帳票に口座番号などの口座を特定するため情報の記載と口座の登録印が捺印されていて、口座の存在および正当性確認のために、帳票に捺印されている印鑑と口座の登録印鑑との印鑑照合を行う必要があるものに適用可能で、口座振替依頼書のほか、出金伝票、解約伝票、喪失届け、変更届け、手形小切手などの処理に適用可能である。
【図面の簡単な説明】
【００８４】
【図１】本発明の実施の一形態の帳票処理システム１０を示すブロック図である。
【図２】口座振替依頼書の概要を示す図である。
【図３】帳票処理システム１０による口座振替データの作成、登録の処理手順を示すフローチャートである。
【図４】口座振替データ作成時におけるオペレータ端末２０の表示画面６０の一例を示す図である。
【図５】口座番号が一致する口座識別情報が複数ある状態を説明するための図である。
【図６】本発明の実施の他の形態の帳票処理システム１１０を示すブロック図である。
【符号の説明】
【００８５】
１０  帳票処理システム
１１  ネットワーク
２０  オペレータ端末
２１  主制御手段
２２  表示手段
２３  操作手段
２４  スキャナ
２５  イメージ処理手段
２６  ＯＣＲ手段
２７  印鑑照合手段
２８  署名照合手段
３０  印鑑サーバ
３１  印鑑ＤＢ
４０  登録サーバ
４１  口座振替ＤＢ
【図１】
2006053762.tif 000003
【図２】
2006053762.tif 000004
【図３】
2006053762.tif 000005
【図４】
2006053762.tif 000006
【図５】
2006053762.tif 000007
【図６】
2006053762.tif 000008